(57)【特許請求の範囲】
【請求項１】
多孔選別板を装着した選別ケースを機枠内に傾斜状態で配設するとともに、前記選別ケース下方には送風機を配設し、前記選別ケースを揺動させるとともに、前記送風機から多孔選別板に風を送り込むことにより、多孔選別板上に供給される穀粒を選別するように形成した石抜選別機において、
前記選別ケースには該選別ケースの長辺方向に所定間隔をおいて傾斜下部ローラ及び傾斜上部ローラを配設する一方、前記機枠内には前記選別ケースの底面に対して傾斜され、かつ、前記傾斜下部ローラ及び傾斜上部ローラを接触支持させる傾斜下部支持板及び傾斜上部支持板を形成するとともに、前記機枠と選別ケースとの間には選別ケースに対して傾斜方向に沿って揺動運動を付与する駆動機構を設け、さらに、前記傾斜下部支持板及び傾斜上部支持板には、前記選別ケースの長辺方向の左右の立上壁に接触させて横揺れを防止する横揺防止ローラをそれぞれ設けたことを特徴とする石抜選別機。
【請求項２】
前記駆動機構は、機枠内に回転可能に支持された偏心輪と、該偏心輪に接触するように選別ケースに突設された接触板と、該接触板を偏心輪に圧接させるために前記機枠と前記選別ケースとの間に配設した引っ張りばねとを備えてなる請求項１記載の石抜選別機。
【請求項３】
前記多孔選別板と前記選別ケースとは手締め式の締結具により装着されてなる請求項１又は２記載の石抜選別機。
【発明の詳細な説明】
【技術分野】
【０００１】
本発明は、穀粒中に混入している小石を選別除去する石抜選別機に関する。
【背景技術】
【０００２】
従来、この種の石抜選別機としては、例えば、特許文献１に開示されたものが知られている。図６は特許文献１に開示された石抜選別機の側断面図であって、底面に多孔選別部材118を有する選別ケース117を機枠111内に傾斜状態で配設し、選別ケース117の下方には送風機126を配設し、選別ケース117を揺動させるとともに、送風機126から多孔選別部材118を通過させて選別ケース117内に風を送り込むことにより、選別ケース117内に供給される小石を含む穀粒を多孔選別部材118上の選別部において比重選別して、選別された穀粒を選別ケース117の穀粒取出口117bから取り出すとともに、選別された小石を選別ケース117の小石回収部117cに回収する構成である。
【０００３】
そして、前記機枠111内には第１及び第２支持ローラ115,116が所定間隔をおいて配設され、選別ケース117の下面には該選別ケース117の底面に対して傾斜されるとともに、各支持ローラ115,116上に接触支持される第１及び第２傾斜支持面119,120が形成され、前記機枠111と前記選別ケース117との間には選別ケース117に対して傾斜方向に沿って往復運動を付与するための駆動機構121が設けられ、選別ケース117の底面に対する各傾斜支持面119,120の傾斜角度は、穀粒取出口117b側に位置する第１傾斜支持面119のほうが、小石回収部117c側に位置する第２傾斜支持面120よりも大きくなるように形成してある。
【０００４】
上記構成により、圧縮ばね124によって選別ケース117が傾斜方向に沿って前方に付勢されると、接触板121が偏心輪122に圧接され、偏心輪122が回転されるときは、選別ケース117に対して傾斜方向に沿って後方への移動力が付与され、揺動運動がなされることになる。そして、石抜選別時には、選別ケース117の選別部で選別された小石が穀粒取出口117b側に戻されて再び穀粒中に混入されたり、選別された穀粒が小石回収部117c側に戻されて小石中に混入したりするのを防止することができ、穀粒と小石との選別を高精度で短時間に行うことができる、という作用・効果がある。
【０００５】
しかし、上記従来の石抜選別機の選別ケース117の支持構造にあっては、一個の圧縮ばね124によって矩形状の選別ケース117の短辺側を付勢することで、接触板121が偏心輪122に圧接されるものであり、比較的小型の選別ケース117に適用されるものであった。すなわち、選別の処理能力を向上させるには選別ケース117の面積を大きくすることが考えられるが、この場合、選別ケース117の重量が重くなり、圧縮ばね124によって選別ケース117の短辺側を付勢する上記構成では、偏心輪122への圧接力が弱くなり、揺動運動が不十分になる問題が生じる。そして、選別ケース117の重量化のために揺動運動の際に横揺れが生じ、穀粒と小石との選別に悪影響を及ぼす問題も生じる。
【先行技術文献】
【特許文献】
【０００６】
【特許文献１】特許第３３１０９２１号公報
【発明の概要】
【発明が解決しようとする課題】
【０００７】
本発明は上記問題点にかんがみ、選別ケースの面積を大きくした場合であっても、穀粒と小石との選別精度を悪化させることのない石抜選別機を提供することを技術的課題とする。
【課題を解決するための手段】
【０００８】
上記課題を解決するため請求項１記載の発明は、多孔選別板を装着した選別ケースを機枠内に傾斜状態で配設するとともに、前記選別ケース下方には送風機を配設し、前記選別ケースを揺動させるとともに、前記送風機から多孔選別板に風を送り込むことにより、多孔選別板上に供給される穀粒を選別するように形成した石抜選別機において、前記選別ケースには該選別ケースの長辺方向に所定間隔をおいて傾斜下部ローラ及び傾斜上部ローラを配設する一方、前記機枠内には前記選別ケースの底面に対して傾斜され、かつ、前記傾斜下部ローラ及び傾斜上部ローラを接触支持させる傾斜下部支持板及び傾斜上部支持板を形成するとともに、前記機枠と選別ケースとの間には選別ケースに対して傾斜方向に沿って揺動運動を付与する駆動機構を設け、さらに、前記傾斜下部支持板及び傾斜上部支持板には、前記選別ケースの長辺方向の左右の立上壁に接触させて横揺れを防止する横揺防止ローラをそれぞれ設ける、という技術的手段を講じた。
【０００９】
請求項２記載の発明は、前記駆動機構が、機枠内に回転可能に支持された偏心輪と、該偏心輪に接触するように選別ケースに突設された接触板と、該接触板を偏心輪に圧接させる前記機枠と選別ケースとの間に配設した引っ張りばねとを備えたことを特徴とする。
【００１０】
請求項３記載の発明は、前記多孔選別板と前記選別ケースが手締め式の締結具により装着されていることを特徴とする。
【発明の効果】
【００１１】
本発明の石抜き選別機は、多孔選別板を装着した選別ケースを機枠内に傾斜状態で配設するとともに、前記選別ケース下方には送風機を配設し、前記選別ケースを揺動させるとともに、前記送風機から多孔選別板に風を送り込むことにより、多孔選別板上に供給される穀粒を選別するように形成した石抜選別機において、
前記選別ケースには該選別ケースの長辺方向に所定間隔をおいて傾斜下部ローラ及び傾斜上部ローラを配設する一方、前記機枠内には前記選別ケースの底面に対して傾斜され、かつ、前記傾斜下部ローラ及び傾斜上部ローラを接触支持させる傾斜下部支持板及び傾斜上部支持板を形成するとともに、前記機枠と選別ケースとの間には選別ケースに対して傾斜方向に沿って揺動運動を付与する駆動機構を設け、さらに、前記傾斜下部支持板及び傾斜上部支持板には、前記選別ケースの長辺方向の左右の立上壁に接触させて横揺れを防止する横揺防止ローラをそれぞれ設けたものであるから、小石などの異物が混入している穀粒を供給すると、比重の重い小石などの異物は浮き上がらずに、揺動運動によって揺すり上げられて小石が傾斜情報側に至り分離することができる。このとき、機枠内壁に配設した横揺防止ローラが、多孔選別板を支持する選別ケースの立上壁に接触して押し付けられることにより、選別ケースに対する左右方向の横揺れ発生が防止され、選別の処理能力を向上させるため、たとえ、多孔選別板の面積を大きくしたとしても揺動運動の際に横揺れを防止し得て、穀粒と小石との選別精度を悪化させることがない。
【００１２】
そして、前記駆動機構が、機枠内に回転可能に支持された偏心輪と、該偏心輪に接触するように選別ケースに突設された接触板と、該接触板を偏心輪に圧接させる前記機枠と選別ケースとの間に配設した引っ張りばねとを備えたものであるから、選別ケースの一対の傾斜下部ローラを機枠側の傾斜下部支持板上に接触支持させるとともに、前記選別ケースの一対の傾斜上部ローラを機枠側の傾斜上部支持板上に接触支持させ、さらに、選別ケース下面の接触板を偏心輪に接触させるよう、機枠と選別ケースとの間の引っ張りばねを装着しているから、引っ張りばねの取り外し又は引っ張りばねの装着により、機枠と選別ケースとの脱着が容易となる。これにより、機枠から選別ケースを取り外せば、糠の付着した送風機の羽根の清掃や、摩耗した偏心輪のメンテナンスなどを容易に行うことが可能となる。
【００１３】
さらに、前記多孔選別板と前記選別ケースとを手締め式の締結具により装着すると、選別作業終了後は、手締め式の締結具を手で緩めて前記多孔選別板を選別ケースから取り外し、清掃用エアノズルからの圧縮空気などを噴射して、小孔に詰まった砕米や小石などを取り除いて清掃除去することが可能となる。これにより、多孔選別板を工具不要として簡単に選別ケースから取り外し、メンテナンスが容易となる。
【図面の簡単な説明】
【００１４】
【図１】本発明の実施形態に係る石抜選別機の全体を示す概略斜視図である。
【図２】図１のA−A線を破断した概略縦断面図である。
【図３】図２のB−B線によって一部を破断してＢ方向から見た断面図である。
【図４】図２のC−C線によって一部を破断してＣ方向から見た断面図である。
【図５】機枠に選別ケースを装着する際の概略縦断面図である。
【図６】従来の石抜選別機の側断面図である。
【発明を実施するための形態】
【００１５】
本発明を実施するための形態を図面を参照しながら説明する。図１は本発明の実施形態に係る石抜選別機の概略斜視図であり、図２は図１のA-A線を破断したときの概略縦断面図である。
【００１６】
図１及び図２に示すように、石抜選別機１は箱状の機枠２を備え、該機枠２の上部には米などの穀粒を多孔選別板３上に投入する開口部４が形成されるとともに、機枠２の前面側の壁２ａ（図１の左手前方向、図２の左側）には小石などを分離した穀粒を排出するための精品排出樋５が突設される一方、機枠２の後面（図１の右奥行方向、図２の右側）の壁２ｂには分離された小石などを排出する石屑排出樋６が突設されている。
多孔選別板３は、選別風を受けるために多数の小孔３ａを穿設し、小石などの異物を傾斜上方側に送るよう凹凸形状としてあり、立上壁３ｂ，３ｃによって板面が囲繞される。そして、傾斜上端側の立上壁３ｃ，３ｃは石屑排出樋５に向かって狭まった形状となっている（図１参照）。
【００１７】
前記機枠２には前記多孔選別板３を傾斜させて支持する選別ケース７が配設されている。すなわち、前記多孔選別板３と選別ケース７は取り外し可能な構成とし、穀粒の選別作業終了後、前記多孔選別板３を清掃できる構成とするのである。例えば、図１のように、前記選別ケース７と多孔選別板３とは手締め式の締結具、例えば、蝶ボルト８…などを使用して螺着する。これにより、前記多孔選別板３は工具を不要として簡単に選別ケース７から取り外し可能となる。
【００１８】
さらに、前記機枠２には前記選別ケース７を支持するために、前記機枠２の精品排出樋５側内壁に一対の傾斜下部支持板９ａ，９ｂが固着され（図２及び図３参照）、前記機枠２の石屑排出樋６側内壁に傾斜上部支持板１０ａ，１０ｂが固着される（図２及び図４参照）。該傾斜下部支持板９ａ，９ｂと傾斜上部支持板１０ａ，１０ｂとは、それぞれ異なる高さ位置とすれば（例えば、傾斜下部支持板９ａ，９ｂを低く、傾斜上部支持板１０ａ，１０ｂを高く形成する。）、前記機枠２に対しての前記選別ケース７及び多孔選別板１０の傾斜支持が可能となる。なお、傾斜上部支持板１０ａ，１０ｂは、機枠２の左右の側面内壁に夫々固着してもよいが、図４のように、梁部１０ｃにより傾斜上部支持板１０ａ，１０ｂ間を架橋して一体化すれば、機枠２の側面壁の強度を向上させることができる。
【００１９】
一方、前記選別ケース７には、支軸２３ａ，２３ｂにより立上壁７ａ，７ｂの壁面に対して軸支した、一対の傾斜下部ローラ１１ａ，１１ｂ及び一対の傾斜上部ローラ１２ａ，１２ｂをそれぞれ回転可能に所定間隔をおいて設けられる。そして、前記傾斜下部ローラ１１ａが機枠２側の傾斜下部支持板９ａ上に接触支持し、前記傾斜下部ローラ１１ｂが機枠２側の傾斜下部支持板９ｂ上に接触支持し、前記傾斜上部ローラ１２ａが機枠２側の傾斜上部支持板１０ａ上に接触支持し、さらに、前記傾斜上部ローラ１２ｂが機枠２側の傾斜上部支持板１０ｂ上に接触支持することになる。これにより、機枠２内に選別ケース７を挿入するときに、選別ケース７が前下がりの傾斜状態で支持されることになる（図５参照）。
さらに、図２に示すように、機枠２と選別ケース７との間には該選別ケース７に対して傾斜方向に沿って往復運動を付与するための駆動機構１３が配設されている。すなわち、機枠２に回転軸１４を回転可能に横架するとともに、該回転軸１４に偏心輪１５を取り付け、その偏心輪１５と接触可能に対応するように、選別ケース７下面に接触部材としての接触板１６を突設する。そして、機枠２と選別ケース７との間に引っ張りばね１７を配設すると、接触板１６が偏心輪１５に圧接され、接触板１６と偏心輪が離間することなく選別ケース７を傾斜配置することができる。
【００２０】
また、図２及び図５に示すように、機枠２には、選別ケース７及び多孔選別板３の下方から上方に向けて送風するように送風機１８が配設される。該送風機１８はファンケース１９と、ファンケース１９内において回転可能に支持されたファン２０とから構成される。
【００２１】
次に本発明の要部となる横揺れ防止機構について説明する。図２、図３及び図４に示すように、前記傾斜下部支持板９ａ，９ｂ及び傾斜上部支持板１０ａ，１０ｂには、選別ケース７の長辺方向に対し直角な短辺方向（図１の矢視ｙ−ｙ方向）の揺れを防止する横揺防止ローラ２１ａ，２１ｂ，２２ａ，２２ｂが設けられている。すわわち、機枠２内の一対の傾斜下部支持板９ａ，９ｂには、該板面に対して支軸２５ａ，２５ｂにより軸支され、かつ、前記選別ケース７の長辺方向の立上壁７ａ，７ｂを挟むような一対の横揺防止ローラ２１ａ，２１ｂがそれぞれ回転可能に設けられる（図４参照）。同様に、機枠２内の一対の傾斜上部支持板１０ａ，１０ｂには、該板面に対して支軸２６ａ，２６ｂにより軸支され、かつ、前記選別ケース７の長辺方向の立上壁７ａ，７ｂを挟むような一対の横揺防止ローラ２２ａ，２２ｂが回転可能に設けられる（図５参照）。
【００２２】
上記構成の横揺防止ローラ２１ａ，２１ｂ及び横揺防止ローラ２２ａ，２２ｂによれば、傾斜方向に沿って往復運動を付与するための駆動機構１３の運転起動時及び運転停止時の振動方向が安定しない時期にあっても、本来の直線的な振動方向（図１の矢視Ｘ−Ｘ方向）の方向づけを行い、選別ケース７に対する左右方向の横揺れ発生を防止する効果がある。これにより、選別の処理能力を向上させるため多孔選別板３の面積を大きくしても揺動運動の際に横揺れを防止し、穀粒と小石との選別精度を悪化させることがない。また、横揺防止ローラ２１ａ，２１ｂ及び横揺防止ローラ２２ａ，２２ｂにより、選別ケース７の長辺方向の立上壁７ａ，７ｂと機枠２との隙間の寸法精度を極めて厳しくする製造する必要はなく、選別ケース７の加工が容易になる。
【００２３】
前記機枠２内にはモータから連絡する駆動軸２７が配設され、その駆動軸２７には駆動プーリ２８が取り付けられる一方、偏心輪１５が軸着した回転軸１４には従動プーリ３１が取り付けられている。また、前記機枠２内にはテンションプーリ２９が配設され、前記ファン２０の回転軸の端部にはファンプーリ３０が取り付けられている。これら駆動プーリ２８、従動プーリ３１、テンションプーリ２９及び従動プーリ３０間には、ベルト３２が巻装されており、駆動軸２７の回転によりファン２０及び回転軸１４が回転されて、ファンケース１９から多孔選別板３の小孔３ａを通して風が送り込まれるとともに、偏心輪１５にて選別ケース７が斜め方向（図１のｘ−ｘ方向）に往復揺動される。
【００２４】
選別ケース７の揺動及び送風機１８からの送風により、多孔選別板３上に供給された小石を含む穀粒が比重選別される。そして、選別された穀粒は多孔選別板３の前端下方の精品排出樋５から取り出されるとともに、選別された小石は多孔選別板３の後端上方の小石回収部３３に回収される。
【００２５】
小石回収部３３は多孔選別板３の傾斜上方側の立上壁３ｃ，３ｃ付近に形成され、さらに多孔選別板３の傾斜上端には、石排出用の開口部３４が開口されている。そして、開口部３４には、該開口部を閉鎖する蓋形状の石排出弁３５が設けられ、バネ（図示せず）などで開口部３４が常時閉鎖されている。また、石排出弁３５を開閉操作するための操作レバー３６を手で上方に回動すれば、開口部３４が開放されて石屑排出樋６を経て小石が機外に取り出されることになる。
【００２６】
次に本発明の石抜選別機の異物除去動作について説明する。小石などの異物が混入している穀粒は、機枠２の上部の開口部４から投入され、揺動している多孔選別板３上に落下する。落下した穀粒などは、多孔選別板３の小孔３ａを通過して上方へ吹き上げる選別風の空気流により、比重の軽い穀粒のみが浮き上がり、多孔選別板３の傾斜によって精品排出樋５側へ流下し、比重の重い小石などの異物は浮き上がらずに、揺動運動によって揺すり上げられて小石回収部３３近傍に溜まる。この場合、機枠２内壁に配設した横揺防止ローラ２１ａ，２１ｂ及び横揺防止ローラ２２ａ，２２ｂが、多孔選別板３を傾斜させて支持する選別ケース７の立上壁７ａ，７ｂに接触して押し付けられることにより、選別ケース７に対する左右方向の横揺れ発生を防止することができる。これにより、選別の処理能力を向上させるため多孔選別板３の面積を大きくしても揺動運動の際に横揺れを防止し、穀粒と小石との選別精度を悪化させることがない。
そして、精品排出樋５側へ流下した穀粒は、小石など異物の分離・選別済みの穀粒として機外へ取り出される一方、小石回収部３３近傍に溜まった小石などの異物は、操作レバー３６を手で上方に回動させ、石排出弁３５を開放することにより、機外に取り出すことができる。
【００２７】
石抜選別機の選別作業終了後は、手締め式の蝶ボルト８…を手で緩めて前記多孔選別板３を選別ケース７から取り外し、清掃用エアノズルからの圧縮空気などを噴射して、小孔３ａに詰まった砕米や小石などを取り除いて清掃除去するとよい。これにより、多孔選別板３を工具不要として簡単に選別ケース７から取り外すことができ、メンテナンスも容易に行うことができる。
【００２８】
さらに、前記選別ケース７の一対の傾斜下部ローラ１１ａ，１１ｂを機枠２側の傾斜下部支持板９ａ，９ｂ上に接触支持させるとともに、前記選別ケース７の一対の傾斜上部ローラ１２ａ，１２ｂを機枠２側の傾斜上部支持板１０ａ，１０ｂ上に接触支持させ、さらに、選別ケース７下面の接触板１６を偏心輪１５に接触させるよう、機枠２と選別ケース７との間の引張バネ１７を装着しているから、引っ張りばね１７の取り外し又は引っ張りばね１７の装着により、機枠２と選別ケース７との脱着が容易となる（図５参照）。これにより、機枠２から選別ケース７を取り外せば、糠の付着した送風機の羽根の清掃や、摩耗した偏心輪１５のメンテナンスを容易に行うことが可能となる。
【符号の説明】
【００２９】
１    石抜選別機
２    機枠
３    多孔選別板
３ａ  小孔
４    開口部
５    精品排出樋
６    石屑排出樋
７    選別ケース
８    蝶ボルト
９ａ  傾斜下部支持板
９ｂ  傾斜下部支持板
１０ａ  傾斜上部支持板
１０ｂ  傾斜上部支持板
１０ｃ  梁部
１１ａ  傾斜下部ローラ
１１ｂ  傾斜下部ローラ
１２ａ  傾斜上部ローラ
１２ｂ  傾斜上部ローラ
１３    駆動機構
１４    回転軸
１５    偏心輪
１６    接触板
１７    引張バネ
１８    送風機
１９    ファンケース
２０    ファン
２１ａ  横揺防止ローラ
２１ｂ  横揺防止ローラ
２２ａ  横揺防止ローラ
２２ｂ  横揺防止ローラ
２３ａ  支軸
２３ｂ  支軸
２４ａ  支軸
２４ｂ  支軸
２５ａ  支軸
２５ｂ  支軸
２６ａ  支軸
２６ｂ  支軸
２７    駆動軸
２８    駆動プーリ
２９    テンションプーリ
３０    ファンプーリ
３１    従動プーリ
３２    ベルト
３３    小石回収部
３４    開口部
３５    石排出弁
３６    操作レバー
【図１】
0005454907.tif 000002
【図２】
0005454907.tif 000003
【図３】
0005454907.tif 000004
【図４】
0005454907.tif 000005
【図５】
0005454907.tif 000006
【図６】
0005454907.tif 000007